(57)【要約】      （修正有）【課題】容易に脱着可能であり、強風時でも樹枝からの果実の落下を防ぐ果実固定具及び果実固定方法を提供する。【解決手段】果実固定具は、互いに対向する第１及び第２把持部１５ａ，１５ｂを有し、第１及び第２把持部１５ａ，１５ｂの間に果実の果梗を挟むクリップ部１１ａ，１１ｂ，３１と、下端側が第１把持部１５ａに接続され、第１把持部１５ａを鉛直方向に懸架する上端を有する紐状の第１懸架具２１ａと、上端が第１懸架具２１ａの上端と接続され、果梗が連結している樹枝から第２把持部１５ｂを鉛直方向に懸架するように下端側が第２把持部１５ｂに接続された、紐状の第２懸架具２１ｂとを備える。【選択図】図１
2022002468.tif 000002
【特許請求の範囲】
【請求項１】
互いに対向する第１及び第２把持部を有し、前記第１及び第２把持部の間に果実の果梗を挟むクリップ部と、
下端側が前記第１把持部に接続され、前記第１把持部を鉛直方向に懸架する上端を有する紐状の第１懸架具と、
上端が前記第１懸架具の前記上端と接続され、前記果梗が連結している樹枝から前記第２把持部を鉛直方向に懸架するように下端側が前記第２把持部に接続された、紐状の第２懸架具と、
を備えることを特徴とする果実固定具。
【請求項２】
前記第１懸架具は、前記第１把持部に巻かれ、弾性を有する第１弾性緩衝紐と、該第１弾性緩衝紐の一端に接続された第１樹枝連結部を有し、
前記第２懸架具は、前記第２把持部に巻かれ、弾性を有する第２弾性緩衝紐と、該第２弾性緩衝紐の一端に接続された第２樹枝連結部を有することを特徴とする請求項１に記載の果実固定具。
【請求項３】
前記第１把持部は、前記第２把持部に対向する部位に第１把持溝を有し、
前記第２把持部は、前記第１把持溝に対向する位置に、前記第１把持溝と鏡像関係の形状を有する第２把持溝を有し、
前記第１弾性緩衝紐は、一部が前記第１把持溝に収まるように前記第１把持部に巻かれ、前記第２弾性緩衝紐は、一部が前記第２把持溝に収まるように前記第２把持部に巻かれ、前記第１把持溝と前記第２把持溝の間に前記果梗を挟むことを特徴とする請求項２に記載の果実固定具。
【請求項４】
前記第１把持部が第１端部収納孔を有し、該第１端部収納孔に前記第１弾性緩衝紐の他端が収納され、
前記第２把持部が第２端部収納孔を有し、該第２端部収納孔に前記第２弾性緩衝紐の他端が収納されていることを特徴とする請求項２又は３に記載の果実固定具。
【請求項５】
前記第１及び第２樹枝連結部のそれぞれの少なくとも上端側の一部が環状をなすことを特徴とする請求項２〜４のいずれか１項に記載の果実固定具。
【請求項６】
前記第１及び第２弾性緩衝紐がそれぞれ、らせん同士が離間した二重らせん構造であることを特徴とする請求項２〜５のいずれか１項に記載の果実固定具。
【請求項７】
互いに対向する第１及び第２把持部を有するクリップ部を用い、前記第１及び第２把持部の間に果実の果梗を挟むステップと、
下端側が前記第１把持部に接続された紐状の第１懸架具の上端と、下端側が前記第２把持部に接続された紐状の第２懸架具の上端を互いに接続し、前記果梗が連結している樹枝から前記クリップ部を鉛直方向に懸架して固定するステップと、
を含み、前記果実を前記樹枝に固定することを特徴とする果実固定方法。
【発明の詳細な説明】
【技術分野】
【０００１】
本発明は、樹枝からの果実落下防止用に用いられる、クリップ状の果実固定具及びこの果実固定具を用いた果実固定方法に関する。
【背景技術】
【０００２】
果実栽培においては、台風等、強風時の果実の落下が大問題である。果実は風による揺れにより落下する。特に収穫直前の大きなものほど風の影響は大きく、つる（果梗）への負担が大きくなり、落下の危険性が高まる。又、果実が落下しなくとも、風による揺れで果実が枝等に触れ、傷かついてしまう問題もある。更に、揺れた際に果梗が傷み、それによる果実の生育不良も問題となる。これらの問題は、果実にかける袋の有無を問わないものである。
【０００３】
従来技術として特許文献１に記載の「果実袋固定用針金」では、果実にかけた果実袋の下端の２箇所と枝等を止め金により接続することにより、果実落下防止を目指している。しかし、特許文献１に記載の技術では果実袋が必須となる。又、果実袋をかけた上、枝に対して２箇所を止めなければならず、煩雑な手間がかかり、多大なる労力が必要となる。更に、特許文献１に記載の技術では、果実袋ごと果実が揺れること自体は防ぐことができず、風による揺れにより果梗に負担がかかり、落下の危険性は低減できていない。
【先行技術文献】
【特許文献】
【０００４】
【特許文献１】特開２００２−７８４２６号公報
【発明の概要】
【発明が解決しようとする課題】
【０００５】
本発明は上記の問題に着目してなされたものであって、容易に脱着可能であり、強風時でも樹枝からの果実の落下を防ぐ果実固定具、及びこの果実固定具を用いた果実固定方法を提供することを目的とする。
【課題を解決するための手段】
【０００６】
上記目的を達成するために、本発明の第１の態様は、（ａ）互いに対向する第１及び第２把持部を有し、第１及び第２把持部の間に果実の果梗を挟むクリップ部と、（ｂ）下端側が第１把持部に接続され、第１把持部を鉛直方向に懸架する上端を有する紐状の第１懸架具と、（ｃ）上端が第１懸架具の上端と接続され、果梗が連結している樹枝から第２把持部を鉛直方向に懸架するように下端側が第２把持部に接続された、紐状の第２懸架具と、を備えることを特徴とする果実固定具であることを要旨とする。
【０００７】
本発明の第２の態様は、（ａ）互いに対向する第１及び第２把持部を有するクリップ部を用い、第１及び第２把持部の間に果実の果梗を挟むステップと、（ｂ）下端側が第１把持部に接続された紐状の第１懸架具の上端と、下端側が第２把持部に接続された紐状の第２懸架具の上端を互いに接続し、果梗が連結している樹枝からクリップ部を鉛直方向に懸架して固定するステップとを含み、果実を樹枝に固定することを特徴とする果実固定方法であることを要旨とする。
【０００８】
本発明によれば、容易に脱着可能であり、強風時でも樹枝からの果実の落下を防ぐ果実固定具、及びこの果実固定具を用いた果実固定方法を提供することができる。
【図面の簡単な説明】
【０００９】
【図１】本発明の第１実施形態に係る果実固定具の斜視図である。
【図２】図２（ａ）は第１実施形態に係る果実固定具の第１固定片を示す斜視図であり、図２（ｂ）は第１実施形態に係る果実固定具の第２固定片を示す斜視図である。
【図３】図１のＡ−Ａ方向から見た部分断面図である。
【図４】図４（ａ）は図１のＢ部分の拡大図であり、図４（ｂ）は図１のＣ部分の拡大図である。
【図５】第１実施形態に係る果実固定具の使用状態を示す図である。
【図６】図５のＡ−Ａ方向から見た部分断面図である。
【図７】図７（ａ）はクリップの第１参考例の斜視図であり、図７（ｂ）はクリップの第２参考例の斜視図である。
【図８】第１実施形態に係る果実固定具が開いた状態を示す斜視図である。
【図９】本発明の第２実施形態に係る果実固定具の斜視図である。
【図１０】図１０（ａ）は第２実施形態に係る果実固定具の第１固定片を示す斜視図であり、図１０（ｂ）は第２実施形態に係る果実固定具の第２固定片を示す斜視図である。
【図１１】本発明の第３実施形態に係る果実固定具の斜視図である。
【図１２】図１２（ａ）は図１１のＡ部分を拡大し、一部の部材が断面で表された上面図であり、図１２（ｂ）は第３実施形態に係る果実固定具の使用状態を示し、一部の部材が断面で表された、図１２（ａ）の視座に相当する上面図である。
【図１３】図１３（ａ）は第１実施形態に係るバネ体の斜視図であり、図１３（ｂ）は第３実施形態に係るバネ体の斜視図である。
【発明を実施するための形態】
【００１０】
以下において、図面を参照して、本発明の第１〜第３実施形態を説明する。以下の図面の記載において、同一又は類似の部分には同一又は類似の符号を付している。ただし、図面は模式的なものであることに留意すべきである。したがって、具体的な装置の構造や配置、部材間の連係、設置方法等は以下の説明から理解できる技術的思想の趣旨を参酌してより多様に判断すべきものである。本発明の技術的思想は、本発明の第１〜第３実施形態で記載された内容に限定されず、特許請求の範囲に記載された発明特定事項の有機的結合が規定する技術的範囲内において、種々の変更を加えることができる。
【００１１】
（第１実施形態に係る果実固定具の構造）
本発明の第１実施形態に係る果実固定具１は、図５に示すように果実５１のつる（果梗）５５を挟むバネ式のクリップ部（１１ａ，１１ｂ，３１）と、クリップ部（１１ａ，１１ｂ，３１）が果梗５５を挟んだ状態で、クリップ部（１１ａ，１１ｂ，３１）を樹枝５０に連結し、鉛直方向に懸架する第１懸架具２１ａ及び第２懸架具２１ｂを備える。第１懸架具２１ａ及び第２懸架具２１ｂのそれぞれは、クリップ部（１１ａ，１１ｂ，３１）を樹枝５０に連結できるような形状可変な可撓性と長さを有している。果実５１の果梗５５を挟むために、図１に示すように、第１実施形態に係る果実固定具１のクリップ部（１１ａ，１１ｂ，３１）は、互いに対向する第１可動片１１ａ及び第２可動片１１ｂと、第１可動片１１ａ及び第２可動片１１ｂを互いに接続し、第１可動片１１ａ及び第２可動片１１ｂの運動を制御するバネ体３１を備える。
【００１２】
バネ体３１は、図１３（ａ）に示すような「ねじりコイルばね」が例示的に使用可能である。図１３（ａ）に示すねじりコイルばねは、本体としての螺旋円筒状のコイル（図１３（ａ）の右側部分）の中心軸のまわりにねじりモーメントを発生する。コイルの一端にＬ字型の第１の腕が設けられ、コイルの他端にＬ字型の第２の腕が第１の腕とはＬ字の方向を逆向きにするように設けられている。第１及び第２の腕がそれぞれ荷重を受け、コイルを巻き込んだり又は巻き戻したりする方向に、コイルを変形させる。図１の斜視図では、バネ体３１の第１の腕が、第１把持部１５ａの上面を介して、第１把持部１５ａの背面（図１では裏側の見えない面）を弾性的に押圧する構造が、模式的に示されている。更に、図１に示す斜視図では、第２の腕が、第２把持部１５ｂの背面（図１の手前側の長方形の面）を弾性的に押圧するように設けられた構造が示されている。バネ体３１の素線自体に曲げ応力が加わり、第１把持部１５ａ及び第２把持部１５ｂの運動（移動）に伴う荷重による弾性エネルギーが、バネ体３１の曲げ弾性エネルギーとして蓄えられ、第１把持部１５ａ及び第２把持部１５ｂが互いに接近する方向に、それぞれの背面を弾性的に押圧している。図１３（ａ）の右側に示した螺旋円筒状のコイル部分は、第１把持部１５ａ及び第２把持部１５ｂの回転中心となる位置にはめ込まれている。即ち、図１３（ａ）の右側に示した螺旋円筒状のコイル部分の中心軸が、第１把持部１５ａ及び第２把持部１５ｂの回転移動の仮想的な回転中心を定義している。
【００１３】
第１可動片１１ａ及び第２可動片１１ｂの素材としては、クリップに通常使用するような、木、金属、樹脂等、様々な素材が例示できる。第１可動片１１ａの一方の端部側は果実５１の果梗５５を挟む第１把持部１５ａとして機能し、第１把持部１５ａに対向する側となる第２可動片１１ｂの一方の端部側は果梗５５を挟む第２把持部１５ｂとして機能する。バネ体３１は、第１把持部１５ａと第２把持部１５ｂが互いに接近する方向に弾性力を印加する。クリップ部（１１ａ，１１ｂ，３１）は、バネ体３１により開け閉めされるクリップの動作を行い、互いに対向する第１把持部１５ａと第２把持部１５ｂが果梗５５を挟むことができる。
【００１４】
図１及び図２（ａ）では第１実施形態に係る果実固定具１の第１懸架具２１ａは、細い棒状（紐状）の第１弾性緩衝紐２３ａと、第１弾性緩衝紐２３ａの一端に接続された第１樹枝連結部２５ａとで構成された構造を例示している。同様に第２懸架具２１ｂは、細い棒状（紐状）の第２弾性緩衝紐２３ｂと、第２弾性緩衝紐２３ｂの一端に接続された第２樹枝連結部２５ｂとで構成された構造を例示している。第１弾性緩衝紐２３ａ及び第２弾性緩衝紐２３ｂとしては、人の手の指等で容易に形状を変えられる素材が好ましいが、同時に、弱い力に対しては元の形状に戻ろうとする弾性を示す素材、例えば針金等がより好ましい。
【００１５】
第１実施形態に係る果実固定具１の構造は、図１に例示した構造に限定されず、第１懸架具２１ａ及び第２懸架具２１ｂは同一素材で構成された一様な太さの連続した弾性緩衝紐であっても構わない。あるいは、第１樹枝連結部２５ａをパイプ状とし、第１樹枝連結部２５ａを鞘として、鞘の内部に第１樹枝連結部２５ａを挿入して第１弾性緩衝紐２３ａと第１樹枝連結部２５ａを結合してもよい。同様に、第２樹枝連結部２５ｂをパイプ状とし、第２樹枝連結部２５ｂを鞘として、鞘の内部に第２樹枝連結部２５ｂを挿入して第２弾性緩衝紐２３ｂと第２樹枝連結部２５ｂを結合してもよい。
【００１６】
図１及び図２に示すとおり、第１懸架具２１ａの第１弾性緩衝紐２３ａは、第１可動片１１ａの第１把持部１５ａに巻かれ、第２懸架具２１ｂの第２弾性緩衝紐２３ｂは、第２可動片１１ｂの第２把持部１５ｂに巻かれている。本明細書では、第１可動片１１ａと第１懸架具２１ａとで「第１固定片」を定義し、第２可動片１１ｂと第２懸架具２１ｂで「第１固定片」を定義する。クリップ部（１１ａ，１１ｂ，３１）の長手方向を水平方向とした場合、水平方向に伸びるクリップ部（１１ａ，１１ｂ，３１）が果梗５５を挟んだ状態で、クリップ部（１１ａ，１１ｂ，３１）の上面の水平方向を維持したまま、クリップ部（１１ａ，１１ｂ，３１）を鉛直方向に懸架するためには、互いに対向する第１把持部１５ａと第２把持部１５ｂが果梗５５を挟んでいる位置の近傍に懸架位置があることが好ましい。
【００１７】
例えば、果梗５５の中心軸がほぼ鉛直方向として、このほぼ鉛直方向の中心軸を含む垂直面に、第１懸架具２１ａ及び第２懸架具２１ｂのそれぞれの懸架方向が存在するように、第１懸架具２１ａと第２懸架具２１ｂのそれぞれの懸架位置が、果梗５５の中心軸に関して対称に位置することが、第１懸架具２１ａと第２懸架具２１ｂとのバランスを取る上で好ましい。一方、それぞれの懸架位置が、第１把持部１５ａと第２把持部１５ｂが果梗５５を挟んでいる位置から離れると、クリップ部（１１ａ，１１ｂ，３１）の長手方向が水平方向から傾くため、果実５１の上部を痛めたり、果実５１に無用な力を付加したりする危険性が生じる。それぞれの懸架位置が、果梗５５の中心軸に関して非対称に位置する場合も、クリップ部（１１ａ，１１ｂ，３１）の上面が水平方向から傾く可能性があるため、果実５１の上部を痛めたり、果実５１に無用な力を付加したりする危険性が生じる。
【００１８】
第１可動片１１ａは、図２（ａ）に示すように、第１把持部１５ａと、第１把持部１５ａに連続し、第１把持部１５ａとは反対側となる第１可動片１１ａの端部側に伸びる第１つまみ部１３ａを有する。第１可動片１１ａには、図２（ａ）に示すように、図１のバネ体３１の螺旋円筒状のコイル部分を収納する第１バネ収納溝３３ａが設けられている。この第１バネ収納溝３３ａの溝部分の最も深い部位を境界として、第１可動片１１ａのうち、図２（ａ）の紙面右奥側を「第１つまみ部１３ａ」、図２（ａ）の紙面左手前側を「第１把持部１５ａ」と定義する。又、第１可動片１１ａが有する面のうち、第２可動片１１ｂと対向する面を「第１対向面」、図１の紙面奥側に位置し、第１対向面に対向する面を「第１背面」と定義する。更に、第１対向面と第１背面とを接続する面のうち、上側の面を「第１上面」、下側の面を「第１下面」、第１把持部１５ａ側の側面を「第１先端面」と定義する。同様に、第２可動片１１ｂは、図２（ｂ）に示すように、第２把持部１５ｂと、第２把持部１５ｂに連続し、第２把持部１５ｂとは反対側となる第２可動片１１ｂの端部側に伸びる第２つまみ部１３ｂを有する。第２対向面、第２背面、第２上面、第２下面及び第２先端面の定義は、第２可動片１１ｂでも同様とし、特別断りのない限り、第２実施形態及び第３実施形態のそれぞれのクリップ部においても同様とする。第２可動片１１ｂには、図２（ｂ）に示すように、第１バネ収納溝３３ａに対向する位置に第２バネ収納溝３３ｂが設けられている。互いに対向する第１バネ収納溝３３ａと第２バネ収納溝３３ｂの間に、図１のバネ体３１の螺旋円筒状のコイル部分が収納される。第１対向面は、第１バネ収納溝３３ａを境界として第１背面に平行な面と第１背面に対し傾斜を有する２面に分割され、第２対向面は、第２バネ収納溝３３ａを境界として第２背面に平行な面と第２背面に対し傾斜を有する２面に分割される。
【００１９】
第１可動片１１ａは更に、図１に示すように、第１把持部１５ａにおいて第２可動片１１ｂと対向する面、即ち第１対向面に、果実５１の果梗５５を挟む第１把持溝１９ａを有する。第１把持溝１９ａは、図１等に示すような第１実施形態に係る果実固定具１においては、第１可動片１１ａの短手方向に平行に設けられた断面Ｕ字型の溝であるが、第１把持溝１９ａの形状は問わず、例えば断面コの字型であっても、あり溝形状等であってもよい。第２可動片１１ｂは、第１可動片１１ａと同様に、第２把持部１５ｂにおいて第１可動片１１ａと対向する面、即ち第２対向面に第２把持溝１９ｂを有する。第２把持溝１９ｂは、図１に示すように、第１可動片１１ａと第２可動片１１ｂとがバネ体３１を介して向かい合わせとなった時に、第１把持溝１９ａと対応する位置に設けられている。
【００２０】
図１に示すように、果実固定具１が閉じている場合には、第１把持溝１９ａと第２把持溝１９ｂとが、貫通孔を定義する空間配置を構成する。第２把持溝１９ｂは、第１把持溝１９ａと同様に、第２可動片１１ｂの短手方向に平行に設けられた断面Ｕ字型の溝であるが、第２把持溝１９ｂの形状は問わず、例えば断面コの字型であっても、あり溝形状等であってもよい。第１把持溝１９ａ及び第２把持溝１９ｂの溝の表面に凹凸が設けられていてもよいし、第１把持溝１９ａ及び第２把持溝１９ｂの溝の表面に第１把持溝１９ａ及び第２把持溝１９ｂより更に幅の狭い溝が複数本設けられていてもよい。
【００２１】
第２把持溝１９ｂは、図１に示すように、第１可動片１１ａと第２可動片１１ｂとがバネ体３１を介して向かい合わせとなった時に、第１把持溝１９ａと対応する位置に設けられ、第１把持溝１９ａと第２把持溝１９ｂとが鏡像関係で互いに対向する。第１把持溝１９ａ及び第２把持溝１９ｂの形状を断面Ｕ字型の溝とする場合は、Ｕ字型は果実５１の果梗５５の外形に対応した構造が好ましく、例えば果梗５５の長手方向に母線を定義する半円柱状にするのが好ましい。半円柱状の溝とする場合は、対象とする果実５１の果梗５５の平均的な半径を考慮し、第１把持溝１９ａ及び第２把持溝１９ｂの深さを設定するのが好ましい。
【００２２】
又、第１可動片１１ａは、図１及び図２（ａ）に示すように、第１上面に第１端部収納孔１７ａを有する。第１端部収納孔１７ａは、第１可動片１１ａの第１下面まで貫通していてもよいし、貫通していなくても構わない。同様に、第２可動片１１ｂは、第２上面に第２端部収納孔１７ｂを有する。第２端部収納孔１７ｂは、第２可動片１１ｂの第２下面まで貫通していてもよいし、貫通していなくても構わない。
【００２３】
いずれにせよ、第１弾性緩衝紐２３ａの他端は第１端部収納孔１７ａの内部に位置し、第２弾性緩衝紐２３ｂの他端は第２端部収納孔１７ｂの内部に位置する。第１弾性緩衝紐２３ａの他端は、第１端部収納孔１７ａの内部から脱離しないように接着等して固定されていてもよいし、固定されていなくともよい。接着等で固定されない場合は、第１弾性緩衝紐２３ａの他端が第１端部収納孔１７ａの内壁の一部に引っ掛かる形で、容易に脱離しないようにしてもよい。第１弾性緩衝紐２３ａの一端から他端の間の部位は、第１可動片１１ａの長手方向を巻付け軸として第１把持溝１９ａに巻き付けられている。同様に、第２弾性緩衝紐２３ｂの他端は、第２端部収納孔１７ｂの内部から脱離しないように接着等して固定されていてもよいし、固定されていなくともよい。接着等で固定されない場合は、第２弾性緩衝紐２３ｂの他端が第２端部収納孔１７ｂの内壁の一部に引っ掛かる形で、容易に脱離しないようにしてもよい。第２弾性緩衝紐２３ｂの一端から他端の間の部位は、第２可動片１１ｂの長手方向を巻付け軸として第２把持溝１９ｂに巻き付けられている。
【００２４】
第１弾性緩衝紐２３ａ及び第２弾性緩衝紐２３ｂのそれぞれの巻付けは、図１及び図２においては約２周しているが、１周であってもよいし、３周以上であってもよい。第１弾性緩衝紐２３ａの巻付けの方向は、図１等に示すように第１端部収納孔１７ａから直ちに第１把持溝１９ａ側を通ってもよいし、第１端部収納孔１７ａから直ちに第１可動片１１ａの第１背面を通ってもよい。又、第１弾性緩衝紐２３ａの巻付けは、果実５１の果梗５５に負担をかけずに固定する観点から、各周回部位が互いに接触しない方が好ましい。更に、第１弾性緩衝紐２３ａは、第１弾性緩衝紐２３ａ自体の弾性力を活かして果梗５５を固定するならば、図３に示すように、第１把持溝１９ａの溝の表面から離間していることが好ましい。この際、第１弾性緩衝紐２３ａは、第１把持溝１９ａと第１可動片１１ａの第１上面との境界（縁）には接触していてもよいものとする。第１弾性緩衝紐２３ａは、第１可動片１１ａの第１背面、第１上面及び第１下面へは、それぞれ接触していてもよいし、接触しなくともよい。
【００２５】
同様に、第２弾性緩衝紐２３ｂの巻付けの方向は、図１等に示すように第２端部収納孔１７ｂから直ちに第２把持溝１９ｂ側を通ってもよいし、第２端部収納孔１７ｂから直ちに第２可動片１１ｂの第２背面を通ってもよい。又、第２弾性緩衝紐２３ｂの巻付けは、果梗５５に負担をかけずに固定する観点から、各周回部位が互いに接触しない方が好ましい。更に、第２弾性緩衝紐２３ｂは、第２弾性緩衝紐２３ｂ自体の弾性力を活かして果梗５５を固定するならば、図３に示すように、第２把持溝１９ｂの溝の表面から離間していることが好ましい。この際、第２弾性緩衝紐２３ｂは、第２把持溝１９ｂと第２可動片１１ｂの第２上面との境界（縁）には接触していてもよいものとする。第２弾性緩衝紐２３ｂは、第２可動片１１ｂの第２背面、第２上面及び第２下面へは、それぞれ接触していてもよいし、接触しなくともよい。
【００２６】
図１等においては、クリップ部（１１ａ，１１ｂ，３１）の第１及び第２先端面は、果実固定具１の長手方向に垂直な面で切断されたような平坦な形状であるが、形状は問わないものである。第１把持溝１９ａから第１先端面までの長さ並びに第２把持溝１９ｂから第２先端面までの長さが長過ぎる場合、果実の本体の果肉を傷つけてしまうため、適度な長さであることが必要である。
【００２７】
図４（ａ）に示すように、第２弾性緩衝紐２３ｂは二重らせん構造であることが好ましい。更に言えば、第２弾性緩衝紐２３ｂはらせん同士が離間した二重らせん構造であることが好ましい。第１らせん紐２３ｂ１及び第２らせん紐２３ｂ２の２本のらせん紐により、第２弾性緩衝紐２３ｂが構成される。第１らせん紐２３ｂ１及び第２らせん紐２３ｂ２のそれぞれのらせん構造については、ピッチや巻き数、Ｓ撚り・Ｚ撚りの別等を問わない。第２弾性緩衝紐２３ｂのらせん同士が離間した二重らせん構造の製造法は問わないが、例えば、中心となる巻付け軸に対して第１らせん紐２３ｂ１及び第２らせん紐２３ｂ２を同時に又は一本ずつ巻き付けていき、巻付け完了後に巻付け軸を除く手法で製造することができる。図示を省略したが、第１弾性緩衝紐２３ａにおいても同様である。
【００２８】
図４（ｂ）に示すように、第１樹枝連結部２５ａは、形状可変の部材である軸２５ａｓ及び軸２５ａｓから略垂直に設けられたブラシ部２５ａｂから構成される。軸２５ａｓは第１弾性緩衝紐２３ａに接続された部材であってもよいし、第１弾性緩衝紐２３ａに連続した同一素材であってもよい。ブラシ部２５ａｂは多数のブラシ構造であり、樹枝や果実を傷つけない程度の軟度である。第２樹枝連結部２５ｂにおいても同様である。
【００２９】
（第１実施形態に係る果実固定具の使用方法）
第１実施形態に係る果実固定具１は、図１のクリップが閉じた状態から、第１つまみ部１３ａの第１背面と、第２つまみ部１３ｂの第２背面を、離間距離が短くなる方向に押圧すると、図８に示すようなクリップが開いた状態となる。図８においては、クリップ部（１１ａ，１１ｂ，３１）の第１及び第２対向面のうち、第１把持部１５ａ及び第２把持部１５ｂ側の接触が解放され、第１把持溝１９ａ及び第２把持溝１９ｂで形成されていた貫通孔が消失する。図８に示すクリップが開いた状態で、果梗５５を挟むことができる。
【００３０】
図５に示す通り、第１実施形態に係る果実固定具１は、クリップ部（１１ａ，１１ｂ，３１）で果梗５５を挟んだ状態において、樹枝５０から懸架できるように、第１懸架具２１ａ及び第２懸架具２１ｂのそれぞれの端部を、樹枝５０の上で互いに連結して使用することができる。図５の状態においては、クリップ部（１１ａ，１１ｂ，３１）の第１把持溝１９ａ及び第２把持溝１９ｂの間に果梗５５が位置する。図３の静置状態においては、第１弾性緩衝紐２３ａと第１把持溝１９ａの表面、並びに第２弾性緩衝紐２３ｂと第２把持溝１９ｂの表面は離間していたが、図６に示すように果梗５５を挟んだ状態では、第１弾性緩衝紐２３ａは第１把持溝１９ａの表面に、並びに第２弾性緩衝紐２３ｂは第２把持溝１９ｂの表面に接触している状態となってもよい。図３の離間した状態から図６の接触した状態へと構造が変化した場合、第１弾性緩衝紐２３ａ及び第２弾性緩衝紐２３ｂの弾性力により、果梗５５が固定されることが好ましい。
【００３１】
勿論、果梗５５の径の大きさによっては、果梗５５を第１把持溝１９ａ及び第２把持溝１９ｂで挟んでも、図６のようにはならず、図３に示すように、第１弾性緩衝紐２３ａと第１把持溝１９ａの表面、並びに第２弾性緩衝紐２３ｂと第２把持溝１９ｂの表面が離間した状態であっても構わない。第１弾性緩衝紐２３ａと第１把持溝１９ａの表面並びに第２弾性緩衝紐２３ｂと第２把持溝１９ｂの表面が離間した状態であっても、果梗５５を挟んでいるならば、第１弾性緩衝紐２３ａ及び第２弾性緩衝紐２３ｂから果梗５５に対していくらかの弾性力が加わっている。その弾性力により、果梗５５はクリップ部（１１ａ，１１ｂ，３１）に挟まれ、固定される。果梗５５の径は、果実５１自体の成長段階に応じてわずかに大きくなるものであるが、第１弾性緩衝紐２３ａと第１把持溝１９ａの表面、並びに第２弾性緩衝紐２３ｂと第２把持溝１９ｂの表面が離間していることにより生じる弾性のため、果梗５５の成長は妨げられない。又、第１把持溝１９ａ及び第２把持溝１９ｂに空隙部分が多くあるために、果梗５５の成育スペースが確保され、同様に果梗５５の成長を妨げないものである。果梗５５の成長が妨げられないため、果実５１の果肉５３の成育も阻害されるものではない。第１弾性緩衝紐２３ａ及び第２弾性緩衝紐２３ｂが、図４（ａ）に示すような互いに離間した二重らせん構造である場合、この二重らせん構造が備える弾性力も、果梗５５の挟持（固定）に寄与する。
【００３２】
収穫期が近づいて果梗５５の径が大きくなる程、第１弾性緩衝紐２３ａ及び第２弾性緩衝紐２３ｂをより外側に押し出す力が強まり、同時に弾性体である第１弾性緩衝紐２３ａ及び第２弾性緩衝紐２３ｂからの反力も強まる。即ち、第１実施形態に係る果実固定具１による果梗５５の固定力は、果梗５５の径が大きくなる程大きくなる。収穫期間近の果実５１の果肉５３は日に日に重量を増すため、果梗５５の固定力が増していくことは、果実５１の落下防止に好都合である。
【００３３】
図５に示すように、第１懸架具２１ａ及び第２懸架具２１ｂは、第１樹枝連結部２５ａ及び第２樹枝連結部２５ｂを樹枝５０の上方で互いに絡ませるように接続して使用する。果実５１の落下防止のため、第１懸架具２１ａ及び第２懸架具２１ｂは撓まないようにして樹枝５０に固定することが好ましい。図５に示す第１懸架具２１ａ及び第２懸架具２１ｂの互いの接続の仕方は一例であり、例えば、第１樹枝連結部２５ａ及び第２樹枝連結部２５ｂは樹枝５０の下方で一度交差しても構わない。又、第１樹枝連結部２５ａ及び第２樹枝連結部２５ｂは、樹枝５０の上方から何周か樹枝５０に巻き付けて固定する方法でも構わない。固定の順番については、クリップ部（１１ａ，１１ｂ，３１）で果梗５５を挟んでから、第１樹枝連結部２５ａ及び第２樹枝連結部２５ｂを樹枝５０を囲んで懸架できるように互いの端部を連結してもよいし、その逆であっても構わない。
【００３４】
図５に示すように、第１実施形態に係る果実固定具１は、果実５１の果肉５３を傷つけずに果梗５５を挟めればよい。図５の果実５１をリンゴと仮定すると、果梗５５の位置にある窪みである梗窪（こうあ）５７に、第１実施形態に係る果実固定具１の第１把持部１５ａ及び第２把持部１５ｂの下方の一部が収まるような構造が望ましい。
【００３５】
第１実施形態に係る果実固定具１の樹枝５０及び果梗５５への取付けは、果実の摘果作業時に同時に行ってもよいし、摘果作業が終わって以降に行ってもよく、取付け時期は問わないものである。図５の果実５１をリンゴと仮定すると、実すぐり（摘果）時に取り付けてもよいし、より収穫期に近づいたツル回し時等に取り付けてもよい。台風等の強風の前に、落下させたくない果実又は落下の危険性が高い果実に取り付けてもよい。
【００３６】
第１実施形態に係る果実固定具１の樹枝５０及び果梗５５からの取外しは、果実５１の収穫時に同時に行ってもよく、取外し時期は問わないものである。例えば、果実５１の収穫時に、樹枝５０への取付けは取り外さずに、果梗５５への取付けのみを取り外す、等でもよい。果実固定具１は樹枝５０への取付けがされていれば、下方に落下することもないので、例えば、果実５１の収穫後に樹枝５０への取付けを取り外すようにしてもよい。
【００３７】
第１実施形態に係る果実固定具１によれば、台風等の強風時であっても果実の揺れを防止し、果実が樹枝から落下する危険性を大幅に低減することができる。第１実施形態に係る果実固定具１は、「果梗への取付け」及び「樹枝への取付け」の２段階の工程で、誰でも片手で容易に取り付けることができる。取り外しについても同様に、「果梗からの取外し」及び「樹枝からの取外し」の２段階の工程で、誰でも片手で容易に取り外すことができる。果実の収穫時には、「果梗からの取外し」のみで容易に果実を収穫できる。
【００３８】
第１実施形態に係る果実固定具１によれば、取付けの時期を問わないため、例えば強風が吹く直前であっても容易に多数の果実落下防止処置を行うことができる。
【００３９】
第１実施形態に係る果実固定具１によれば、強風時の果実落下防止のみならず、果実を任意の回転位置で固定する際にも好適に用いることができる。例えば対象の果実がリンゴである場合、色むらを無くすべく、全面を良く日光に当てるために「ツル回し」を収穫前に行うのが一般的である。ツル回しにおいては、ツル（果梗）を回転軸として回転させて、望みの箇所でそのまま留めておく必要がある。元々樹枝にもたれかかっているリンゴであれば、回転後、その樹枝にもたれかからせれば固定されるが、樹枝と直接の接触がないリンゴは、ツルを回転軸として回転させても、手を離せば元の位置に戻ってしまう。第１実施形態に係る果実固定具１を用いることで、樹枝と直接の接触がないリンゴであっても、任意の回転位置でリンゴの向きを固定することが容易となり、色むらの少ないリンゴを得ることが可能となる。第１実施形態に係る果実固定具１は取付けの向きを変えることが容易であるため、第１実施形態に係る果実固定具１自体が色むらの要因とはならずに使用することができる。
【００４０】
第１実施形態に係る果実固定具１によれば、果実袋等のような他の用具は不要であり、何度でも再利用可能である。例えば、リンゴに被せる果実袋は取り外す際には破くことが多く、再利用は不可能である。第１実施形態に係る果実固定具１は再利用が可能であるので、大変経済的である。
【００４１】
第１実施形態に係る果実固定具１によれば、果実や樹枝を傷つけることなく、果実を樹枝に固定することができる。第１実施形態に係る果実固定具１の第１弾性緩衝紐２３ａ及び第２弾性緩衝紐２３ｂがいわゆる「バネ」のような働きをし、その「バネ」により、適度な弾性力をもって果梗を挟むことが可能であるためである。果梗が傷つくと、細菌等により果実や樹木全体が弱ってしまうことに繋がる。又、第１実施形態に係る果実固定具１の第１弾性緩衝紐２３ａ及び第２弾性緩衝紐２３ｂには弾性があるので、果梗の成長を妨げることがない。又、第１把持溝１９ａ及び第２把持溝１９ｂに空隙部分が多くあるために、果梗の成育スペースが確保され、同様に果梗の成長を妨げない。果梗の成長が妨げられないため、果肉の成育も阻害されない。
【００４２】
第１実施形態に係る果実固定具１によれば、果実の重量が増し、果梗の径が大きくなる程、果梗の固定力が増大し、効果的に果実落下防止を行える。果梗の径が大きくなる程、第１弾性緩衝紐２３ａ及び第２弾性緩衝紐２３ｂを外側に押し出す力が強まり、同時に反力（固定力）も強まる。収穫期間近の重量が増した果実の果梗に対する固定力が増すことで、効果的に果実の落下を防止できる。
【００４３】
第１実施形態に係る果実固定具１によれば、第１弾性緩衝紐２３ａ及び第２弾性緩衝紐２３ｂが、図４（ａ）に示すような互いに離間した二重らせん構造である場合、この二重らせん構造が備える弾性力により、いわゆる「バネ」の機能が更に高まり、効果的に果梗の挟持（固定）が可能となる。又、第１弾性緩衝紐２３ａ及び第２弾性緩衝紐２３ｂと果梗との摩擦力により、固定力が増強される。
【００４４】
第１実施形態に係る果実固定具１によれば、第１弾性緩衝紐２３ａ及び第２弾性緩衝紐２３ｂのそれぞれの他端を収納するための第１端部収納孔１７ａ及び第２端部収納孔１７ｂがあるために、第１弾性緩衝紐２３ａ及び第２弾性緩衝紐２３ｂのそれぞれの他端によるケガや果実への傷の問題も生じない。
【００４５】
（第２実施形態に係る果実固定具の構造）
本発明の第２実施形態に係る果実固定具２は、図９に示すように、バネ式のクリップを本体とする果実固定具である。第２実施形態に係る果実固定具２は、クリップの本体を構成するクリップ部（１２ａ，１２ｂ，３１）を備える。クリップ部（１２ａ，１２ｂ，３１）は、互いに対向した第１可動片１２ａ及び第２可動片１２ｂ、並びに第１可動片１２ａ及び第２可動片１２ｂを結合し、第１可動片１２ａ及び第２可動片１２ｂの動作を制御するバネ体３１を備える。バネ体３１により第１可動片１２ａ及び第２可動片１２ｂの開け閉めをするクリップの動作を行うことができる。第２実施形態に係る果実固定具２は、第１可動片１２ａ及び第２可動片１２ｂのそれぞれに巻かれた第１弾性緩衝紐２４ａ及び第２弾性緩衝紐２４ｂと、第１弾性緩衝紐２４ａ及び第２弾性緩衝紐２４ｂのそれぞれの一端に接続された第１樹枝連結部２６ａ及び第２樹枝連結部２６ｂとを更に備える。
【００４６】
図９に示す第２実施形態に係る果実固定具２については、第１実施形態に係る果実固定具１と比較し、第１弾性緩衝紐２４ａ及び第２弾性緩衝紐２４ｂのそれぞれの他端、第１端部収納孔１８ａ及び第２端部収納孔１８ｂ、第１樹枝連結部２６ａ及び第２樹枝連結部２６ｂの３点の構造が異なる。第２実施形態に係る果実固定具２については、その他の部材の構造、素材、機能、部材同士の接続態様等は、第１実施形態に係る果実固定具１の場合と同様である。
【００４７】
図９に示すように、第１可動片１２ａ及び第２可動片１２ｂは、図１等に示す第１実施形態に係る果実固定具１と同様に、第１可動片１２ａ及び第２可動片１２ｂから構成される。第１可動片１２ａは、図１等に示す第１実施形態に係る果実固定具１と同様に、図９及び図１０（ａ）に示すように、大きく分けて、第１つまみ部１４ａ、第１つまみ部１４ａに連続する第１把持部１６ａから構成される。第１可動片１２ａの第１対向面には、図示は省略するが、図９のバネ体３１のらせん構造部分を収納する第１バネ収納溝が設けられている。図１等に示す第１実施形態に係る果実固定具１と同様に、この第１バネ収納溝の溝部分の最も深い部位を境界として、第１可動片１２ａのうち、図１０（ａ）の紙面右奥側を「第１つまみ部１４ａ」、図１０（ａ）の紙面左手前側を「第１把持部１６ａ」と定義する。第１対向面は、第１可動片１２ａ及び第２可動片１２ｂにおいては、図９等に示すように、バネ体３１部分を境界として分割された２面からそれぞれ構成される。
【００４８】
図９に示すように、第１可動片１２ａは更に、図１等に示す第１実施形態に係る果実固定具１と同様に、第１把持部１６ａにおいて第２可動片１２ｂと対向する面、即ち第１対向面に第１把持溝２０ａを有する。第１把持溝２０ａについては、図１等に示す第１実施形態に係る果実固定具１の第１把持溝１９ａと同様の形状である。又、第１可動片１２ａは、図９及び図１０（ａ）に示すように、第１対向面から第１背面にかけて貫通した第１端部収納孔１８ａを有する。
【００４９】
図９及び図１０（ａ）に示すように、第１弾性緩衝紐２４ａは、紐状の一端を第１樹枝連結部２６ａに接続し、紐状の他端を第１端部収納孔１８ａの内部に位置させている。第１弾性緩衝紐２４ａの他端は、後述するように、第２弾性緩衝紐２４ｂの他端と接続されている。第１弾性緩衝紐２４ａと第２弾性緩衝紐２４ｂとは、同一素材から構成される一体とした部材の各部分であってもよい。第１弾性緩衝紐２４ａの他端は第２弾性緩衝紐２４ｂの他端と接続されているため、第１端部収納孔１８ａの内部に直接は固定されない。
【００５０】
図９及び図１０（ａ）に示すように、図１等に示す第１実施形態に係る果実固定具１と同様に、第１弾性緩衝紐２４ａの一端から他端の間の部位は、第１可動片１２ａの長手方向を巻付け軸として第１把持溝２０ａに巻き付けられている。第１弾性緩衝紐２４ａの巻付けは、図９及び図１０（ａ）においては約２周しているが、１周であってもよいし、３周以上であってもよい。第１弾性緩衝紐２４ａの巻付けの方向は、図９等に示すように第１端部収納孔１８ａから第１上面を経由して第１把持溝２０ａ側を通ってもよいし、第１端部収納孔１８ａから第１背面及び第１下面を経由して第１把持溝２０ａ側を通ってもよい。又、第１弾性緩衝紐２４ａの巻付けは、果梗５５に負担をかけずに固定する観点から、各周回部位が互いに接触しない方が好ましい。更に、第１弾性緩衝紐２４ａは、第１弾性緩衝紐２４ａ自体の弾性力を活かして果梗を固定するならば、図１等に示す第１実施形態に係る果実固定具１と同様に、第１把持溝２０ａの溝の表面から離間していることが好ましい。この際、第１弾性緩衝紐２４ａは、第１把持溝２０ａと第１可動片１２ａの第１上面との境界（縁）には接触していてもよいものとする。第１弾性緩衝紐２４ａは、第１可動片１２ａの第１背面、第１上面及び第１下面へは、それぞれ接触していてもよいし、接触しなくともよい。
【００５１】
図９及び図１０（ａ）に示すように、環状の第１樹枝連結部２６ａは、第１弾性緩衝紐２４ａの一端に連続するように接続されているが、実際に第１弾性緩衝紐２４ａと同一素材で連続した部材であってもよいものとする。第１樹枝連結部２６ａは、第１弾性緩衝紐２４ａと「第１懸架具２２ａ」を構成する。図１０（ａ）に示すように、第１可動片１２ａと第１懸架具とで「第１固定片」を構成する。
【００５２】
第２可動片１２ｂは、図９及び図１０（ｂ）に示すように、第１可動片１２ａと同様に、第２つまみ部１４ｂ、第２つまみ部１４ｂに連続する第２把持部１６ｂから構成される。第２可動片１２ｂには、図示は省略するが、図９のバネ体３１のらせん構造部分を収納する第２バネ収納溝が設けられている。第１可動片１２ａと同様に、第２バネ収納溝の溝部分の最も深い部位を境界として、第２可動片１２ｂのうち、図１０（ｂ）の紙面右奥側を「第２つまみ部１４ｂ」、図１０（ｂ）の紙面左手前側を「第２把持部１６ｂ」と定義する。第２可動片１２ｂは更に、図９に示すように、第１可動片１２ａと同様に、第２把持部１６ｂにおいて第１可動片１２ａと対向する面、即ち第１対向面に第２把持溝２０ｂを有する。第２把持溝２０ｂは、図９に示すように、第１可動片１２ａと第２可動片１２ｂとがバネ体３１を介して向かい合わせとなった時に、第１把持溝２０ａと対応する位置に設けられている。図９に示すように、果実固定具２が閉じている場合には、第１把持溝２０ａと第２把持溝２０ｂとで貫通孔を生じさせる。第２把持溝２０ｂについては、図１等に示す第１実施形態に係る果実固定具１の第１把持溝１９ｂと同様の形状である。又、第２可動片１２ｂは、図９及び図１０（ａ）に示すように、第２対向面から第２背面にかけて貫通した第２端部収納孔１８ｂを有する。
【００５３】
図９及び図１０（ａ）に示すように、第２弾性緩衝紐２４ｂは、第１弾性緩衝紐２４ａと同様に、紐状の一端を第２樹枝連結部２６ｂに接続し、紐状の他端を第２端部収納孔１８ｂの内部に位置させている。上述の通り、第１弾性緩衝紐２４ａの他端は、第２弾性緩衝紐２４ｂの他端と接続されている。第１弾性緩衝紐２４ａの他端は第２弾性緩衝紐２４ｂの他端と接続されているため、第２端部収納孔１８ｂの内部に直接は固定されない。
【００５４】
第２弾性緩衝紐２４ｂの一端から他端の間の部位は、第２可動片１２ｂの長手方向を巻付け軸として第２把持溝２０ｂに巻き付けられている。第２弾性緩衝紐２４ｂの巻付けは、図９及び図１０（ｂ）においては約２周しているが、１周であってもよいし、３周以上であってもよい。第２弾性緩衝紐２４ｂの巻付けの方向は、図９等に示すように第２端部収納孔１８ｂから第２上面を経由して第２把持溝２０ｂ側を通ってもよいし、第２端部収納孔１８ｂから第２背面及び第２下面を経由して第２把持溝２０ｂ側を通ってもよい。又、第２弾性緩衝紐２４ｂの巻付けは、果梗５５に負担をかけずに固定する観点から、各周回部位が互いに接触しない方が好ましい。更に、第２弾性緩衝紐２４ｂは、第２弾性緩衝紐２４ｂ自体の弾性力を活かして果梗を固定するならば、第２把持溝２０ｂの溝の表面から離間していることが好ましい。この際、第２弾性緩衝紐２４ｂは、第２把持溝２０ｂと第２可動片１２ｂの第２上面との境界（縁）には接触していてもよいものとする。第２弾性緩衝紐２４ｂは、第２可動片１２ｂの第２背面、第２上面及び第２下面へは、それぞれ接触していてもよいし、接触しなくともよい。
【００５５】
図９及び図１０（ｂ）に示すように、環状の第２樹枝連結部２６ｂは、第１樹枝連結部２６ａと同様に、第２弾性緩衝紐２４ｂの一端に連続するように接続されているが、実際に第２弾性緩衝紐２４ｂと同一素材で連続した部材であってもよいものとする。第２樹枝連結部２６ｂは、第２弾性緩衝紐２４ｂと「第２懸架具２２ｂ」を構成する。図１０（ｂ）に示すように、第２可動片１２ｂと第２懸架具とで「第２固定片」を構成する。図９において、第２懸架具２２ｂは第１懸架具２２ａの鏡像体であり、第２固定片は第１固定片の鏡像体として図示されているが、細部の構造は互いに異なっていても構わない。図９に示すように、第１固定片、第２固定片及びバネ体３１とで、第２実施形態に係る果実固定具２が構成される。
【００５６】
第１可動片１２ａ及び第２可動片１２ｂ、第１弾性緩衝紐２４ａ及び第２弾性緩衝紐２４ｂ並びに第１樹枝連結部２６ａ及び第２樹枝連結部２６ｂの素材については、第１実施形態に係る果実固定具１の場合と同様である。
【００５７】
図９等においては、第１可動片１２ａ及び第２可動片１２ｂの第１及び第２先端面は、果実固定具２の長手方向に垂直な面で切断されたような平坦な形状であるが、形状は問わないものである。第１把持溝２０ａ及び第２把持溝２０ｂから第１及び第２先端面までのそれぞれの長さが長過ぎる場合、果実の本体の果肉を傷つけてしまうため、適度な長さであることが必要である。
【００５８】
第１弾性緩衝紐２４ａ及び第２弾性緩衝紐２４ｂそれぞれについては、第１実施形態に係る果実固定具１の場合と同様に、二重らせん構造であることが好ましい。更に言えば、第１弾性緩衝紐２４ａ及び第２弾性緩衝紐２４ｂはそれぞれ、らせん同士が離間した二重らせん構造であることが好ましい。二重らせんのそれぞれのらせん構造については、ピッチや巻き数、Ｓ撚り・Ｚ撚りの別等を問わない。第１弾性緩衝紐２４ａ及び第２弾性緩衝紐２４ｂのそれぞれのらせん同士が離間した二重らせん構造の製造法は問わないが、例えば、中心となる巻付け軸に対して二重らせんの紐を同時に又は一本ずつ巻き付けていき、巻付け完了後に巻付け軸を除く手法で製造することができる。
【００５９】
第１樹枝連結部２６ａ及び第２樹枝連結部２６ｂについては、第１実施形態に係る果実固定具１の場合と同様に、形状可変の部材である軸及びその軸から略垂直に設けられたブラシ部から構成されていてもよい。軸やブラシ部の構造や素材については、第１実施形態に係る果実固定具１の場合と同様である。
【００６０】
（第２実施形態に係る果実固定具の使用方法）
第２実施形態に係る果実固定具２は、第１実施形態に係る果実固定具１の場合と同様の使用方法で用いることができる。第２実施形態に係る果実固定具２は、図９のクリップが閉じた状態から、第１つまみ部１４ａ及び第２つまみ部１４ｂの第１及び第２背面を離間距離が短くなる方向に押圧すると、クリップが開いた状態となる。クリップが開いた状態においては、第１可動片１２ａ及び第２可動片１２ｂの第１及び第２対向面のうち、第１把持部１６ａ及び第２把持部１６ｂ側の接触が解放され、第１把持溝２０ａ及び第２把持溝２０ｂとで形成されていた貫通孔が消失する。クリップが開いた状態で、果実の果梗を挟むことができる。
【００６１】
第２実施形態に係る果実固定具２は、第１実施形態に係る果実固定具１の場合と同様に、第１可動片１２ａ及び第２可動片１２ｂで果実の果梗を挟み、第１懸架具２２ａ及び第２懸架具２２ｂを樹枝に連結して使用することができる。
【００６２】
第１懸架具２２ａ及び第２懸架具２２ｂは、第１実施形態に係る果実固定具１の場合と同様に、第１樹枝連結部２６ａ及び第２樹枝連結部２６ｂを樹枝の上方で互いに絡ませるように接続して使用する。第１樹枝連結部２６ａ及び第２樹枝連結部２６ｂはそれぞれ環状のため、第１実施形態に係る果実固定具１の棒状の第１樹枝連結部２５ａ及び第２樹枝連結部２５ｂの場合よりも、指に引っ掛けやすく、樹枝の上方で互いに絡ませやすい。固定の順番については、第１実施形態に係る果実固定具１の場合と同様に、第１可動片１２ａ及び第２可動片１２ｂで果実の果梗を挟んでから、第１樹枝連結部２６ａ及び第２樹枝連結部２６ｂを樹枝に連結してもよいし、その逆であっても構わない。
【００６３】
第２実施形態に係る果実固定具２の樹枝及び果梗への取付け及び取外しは、第１実施形態に係る果実固定具１の場合と同様に、時期を問わないものである。  
【００６４】
第２実施形態に係る果実固定具２によれば、台風等の強風時であっても果実の揺れを防止し、果実が樹枝から落下する危険性を大幅に低減することができる。第２実施形態に係る果実固定具２は、「果梗への取付け」及び「樹枝への取付け」の２段階の工程で、誰でも片手で容易に取り付けることができる。取り外しについても同様に、「果梗からの取外し」及び「樹枝からの取外し」の２段階の工程で、誰でも片手で容易に取り外すことができる。果実の収穫時には、「果梗からの取外し」のみで容易に果実を収穫できる。
【００６５】
第２実施形態に係る果実固定具２によれば、取付けの時期を問わないため、例えば強風が吹く直前であっても容易に多数の果実落下防止処置を行うことができる。
【００６６】
第２実施形態に係る果実固定具２によれば、強風時の果実落下防止のみならず、果実を任意の回転位置で固定する際にも好適に用いることができる。第２実施形態に係る果実固定具２を用いることで、樹枝と直接の接触がないリンゴであっても、任意の回転位置でリンゴの向きを固定することが容易となり、色むらの少ないリンゴを得ることが可能となる。第２実施形態に係る果実固定具２は取付けの向きを変えることが容易であるため、第２実施形態に係る果実固定具２自体が色むらの要因とはならずに使用することができる。
【００６７】
第２実施形態に係る果実固定具２によれば、果実袋等のような他の用具は不要であり、何度でも再利用可能である。例えば、リンゴに被せる果実袋は取り外す際には破くことが多く、再利用は不可能である。第２実施形態に係る果実固定具２は再利用が可能であるので、大変経済的である。
【００６８】
第２実施形態に係る果実固定具２によれば、果実や樹枝を傷つけることなく、果実を樹枝に固定することができる。第２実施形態に係る果実固定具２の第１弾性緩衝紐２４ａ及び第２弾性緩衝紐２４ｂがいわゆる「バネ」のような働きをし、その「バネ」により、適度な弾性力をもって果梗を挟むことが可能であるためである。又、第２実施形態に係る果実固定具２の第１弾性緩衝紐２４ａ及び第２弾性緩衝紐２４ｂには弾性があるので、果梗の成長を妨げることがない。又、第１把持溝２０ａ及び第２把持溝２０ｂに空隙部分が多くあるために、果梗の成育スペースが確保され、同様に果梗の成長を妨げない。果梗の成長が妨げられないため、果肉の成育も阻害されない。
【００６９】
第２実施形態に係る果実固定具２によれば、果実の重量が増し、果梗の径が大きくなる程、果梗の固定力が増大し、効果的に果実落下防止を行える。果梗の径が大きくなる程、第１弾性緩衝紐２４ａ及び第２弾性緩衝紐２４ｂを外側に押し出す力が強まり、同時に反力（固定力）も強まる。収穫期間近の重量が増した果実の果梗に対する固定力が増すことで、効果的に果実の落下を防止できる。
【００７０】
第２実施形態に係る果実固定具２によれば、第１弾性緩衝紐２４ａ及び第２弾性緩衝紐２４ｂがそれぞれ互いに離間した二重らせん構造である場合、この二重らせん構造が備える弾性力により、いわゆる「バネ」の機能が更に高まり、効果的に果梗の挟持（固定）が可能となる。又、第１弾性緩衝紐２４ａ及び第２弾性緩衝紐２４ｂと果梗との摩擦力により、固定力が増強される。
【００７１】
第２実施形態に係る果実固定具２によれば、第１弾性緩衝紐２４ａ及び第２弾性緩衝紐２４ｂのそれぞれの他端を収納するための第１端部収納孔１８ａ及び第２端部収納孔１８ｂがあるために、第１弾性緩衝紐２４ａ及び第２弾性緩衝紐２４ｂのそれぞれの他端によるケガや果実への傷の問題も生じない。
【００７２】
（第３実施形態に係る果実固定具の構造）
本発明の第３実施形態に係る果実固定具７は、図１１に示すように、バネ式のクリップ部（６２ａ，６２ｂ，３５）を本体とする果実固定具である。クリップ部（６２ａ，６２ｂ，３５）は、第１可動片６２ａ及び第２可動片６２ｂと、第１可動片６２ａ及び第２可動片６２ｂを互いに接続し、第１把持部６６ａ及び第２把持部６６ｂが互いに接近する方向に弾性力を印加するバネ体３５を備える。第１可動片６２ａ及び第２可動片６２ｂとバネ体３５とで、バネにより開け閉めされるクリップの動作を行うことができる。第３実施形態に係る果実固定具７は、第１可動片６２ａ及び第２可動片６２ｂのそれぞれに巻かれた対をなす第１弾性緩衝紐７４ａ及び第２弾性緩衝紐７４ｂと、第１弾性緩衝紐７４ａ及び第２弾性緩衝紐７４ｂのそれぞれの一端に接続された第１樹枝連結部７６ａ及び第２樹枝連結部７６ｂとを更に備える。
【００７３】
図１１に示す第３実施形態に係る果実固定具７については、第１実施形態に係る果実固定具１と比較し、第１弾性緩衝紐７４ａ及び第２弾性緩衝紐７４ｂのそれぞれの他端、第１端部収納孔６８ａ及び第２端部収納孔６８ｂ、第１樹枝連結部７６ａ及び第２樹枝連結部７６ｂの３点の構造に加え、第１把持溝７０ａ及び第２把持溝７０ｂ付近の構造が異なる。又、第１可動片６２ａ及び第２可動片６２ｂ及びバネ体３５の構造も第１実施形態に係る果実固定具１と異なる。第３実施形態に係る果実固定具７については、その他の部材の構造、素材、機能、部材同士の接続態様等は、第１実施形態に係る果実固定具１の場合と同様である。
【００７４】
図１１に示す第３実施形態に係る果実固定具７については、第２実施形態に係る果実固定具２と比較し、第１把持溝７０ａ及び第２把持溝７０ｂ付近の構造が異なる。又、第１可動片６２ａ及び第２可動片６２ｂ及びバネ体３５の構造も第２実施形態に係る果実固定具２と異なる。第３実施形態に係る果実固定具７については、その他の部材の構造、素材、機能、部材同士の接続態様等は、第２実施形態に係る果実固定具２の場合と同様である。
【００７５】
図１１に示すように、第１可動片６２ａ及び第２可動片６２ｂはそれぞれ、バネ体３５により連結されるための出っ張り部分であるバネ連結部を有する。第１可動片６２ａは、変形させた薄板からなる全体構造であり、第１実施形態に係る果実固定具１及び第２実施形態に係る果実固定具２と異なる点である。第３実施形態に係る果実固定具７においては、図１１に示すように、第１可動片６２ａのバネ体３５の一端で押さえつけられている面を含む内側の面全体を「第１対向面」、図１１の紙面奥側に配置された平坦な面を「第１背面」、第１背面に連続する上側の面を「第１上面」、第１背面に連続する下側の面を「第１下面」と定義する。即ち、第１対向面の一部と第１背面は平行に対向し、第１対向面の他の一部と第１上面も平行に対向し、第１対向面の更に他の一部と第１下面も平行に対向することとなる。第２可動片６２ｂについても同様の考え方である。
【００７６】
バネ体３５は、図１３（ｂ）に示すような「ねじりコイルばね」が例示的に使用可能である。図１３（ｂ）に示すねじりコイルばねは、本体としての螺旋円筒状のコイル（図１３（ｂ）の左側部分）の中心軸のまわりにねじりモーメントを発生する。コイルの一端に第１の腕が設けられ、コイルの他端に第２の腕が設けられている。第１及び第２の腕がそれぞれ荷重を受け、コイルを巻き込んだり又は巻き戻したりする方向に、コイルを変形させる。図１１の斜視図では、バネ体３５の第１の腕が、第１背面に平行に対向する第１対向面の一部を弾性的に押圧する構造が模式的に示されている。更に、図１に示す斜視図では、第２の腕が第２背面に平行に対向する第２対向面の一部を弾性的に押圧する構造が示されている。バネ体３５の素線自体に曲げ応力が加わり、第１把持部６６ａ及び第２把持部６６ｂの運動（移動）に伴う荷重による弾性エネルギーが、バネ体３５の曲げ弾性エネルギーとして蓄えられ、第１把持部６６ａ及び第２把持部６６ｂが互いに接近する方向に、第１把持部６６ａ及び第２把持部６６ｂのそれぞれの対向面を弾性的に押圧している。図１３（ｂ）の左側に示した螺旋円筒状のコイル部分は、第１把持部６６ａ及び第２把持部６６ｂの回転中心となる軸、即ちそれぞれのバネ連結部を連結する軸を中心軸として、その中心軸の外周に巻かれるように位置している。即ち、図１３（ｂ）の左側に示した螺旋円筒状のコイル部分の中心軸が、第１把持部６６ａ及び第２把持部６６ｂの回転移動の回転中心を定義している。
【００７７】
第１可動片６２ａは、図１等に示す第１実施形態に係る果実固定具１と同様に、図１１に示すように、大きく分けて、第１つまみ部６４ａ、第１つまみ部６４ａに連続する第１把持部６６ａから構成される。バネ連結部付近を境界として、第１可動片６２ａのうち、図１１の紙面右奥側を「第１つまみ部６４ａ」、図１１の紙面左手前側を「第１把持部６６ａ」と定義する。同様に、第２可動片６２ｂは、図１１に示すように、第２つまみ部６４ｂ、第２つまみ部６４ｂに連続する第２把持部６６ｂから構成される。第１可動片６２ａと同様に、バネ連結部付近を境界として、第２可動片６２ｂのうち、図１１の紙面右奥側を「第２つまみ部６４ｂ」、図１１の紙面左手前側を「第２把持部６６ｂ」と定義する。
【００７８】
図１１に示すように、第１可動片６２ａ及び第２可動片６２ｂは、互いのバネ連結部において一部が重なり、軸が貫通することにより互いに接続されている。その軸を巻付け軸（中心軸）として図１３（ｂ）に示すバネ体３５が巻き付き、バネ体３５の両腕が第１可動片６２ａ及び第２可動片６２ｂの第１つまみ部６４ａ及び第２つまみ部６４ｂ側のそれぞれの対向面を弾性的に押さえつけている。即ち、第１把持部６６ａ及び第２把持部６６ｂが互いに接近する方向に、バネ体３５の弾性的な押圧力が加わっている。第３実施形態に係る果実固定具７におけるクリップの本体となる第１可動片６２ａ及び第２可動片６２ｂ及びバネ体３５は、第１実施形態に係る果実固定具１及び第２実施形態に係る果実固定具２と同様の構造であってもよい。
【００７９】
図１１に示すように、第１可動片６２ａは更に、図１等に示す第１実施形態に係る果実固定具１と同様に、第１把持部６６ａにおいて第２可動片６２ｂと対向する部位に第１把持溝７０ａを有する。第１把持溝７０ａについては、第１可動片６２ａの第１上面側と第１下面側に同様の構造の溝部として有するものとする。但し、第１把持溝７０ａについては、第１可動片６２ａの第１背面側と第１下面側のいずれか一方のみに設けられていてもよい。その場合、第１把持溝７０ａが設けられていない側は、果梗の固定（保持）に寄与しない溝部を有するものとする。同様に、図１１に示すように、第２可動片６２ｂは更に、第２把持部６６ｂにおいて第１可動片６２ａと対向する部位に第２把持溝７０ｂを有する。第２把持溝７０ｂは、図１１に示すように、第１可動片６２ａと第２可動片６２ｂとがバネ体３５により向かい合わせとなった時に、第１把持溝７０ａと対応する位置に設けられている。図１１に示すように、果実固定具７が閉じている場合には、第１把持溝７０ａと第２把持溝７０ｂとで貫通孔を生じさせる。第２把持溝７０ｂについては、第１把持溝７０ａと同様に、第２可動片６２ｂの第２上面側と第２下面側に同様の構造の溝部として有するものとする。但し、第２把持溝７０ｂについては、第１把持溝７０ａと同様に、第２可動片６２ｂの第２上面側と第２下面側のいずれか一方のみに設けられていてもよい。その場合、第２把持溝７０ｂが設けられていない側は、果梗の固定（保持）に寄与しない溝部を有するものとする。
【００８０】
図１２（ａ）に示すように、第１把持部６６ａには、第１把持溝７０ａの両脇に凸部７０ａＬ及び凸部７０ａＲが設けられている。同様に、図１２（ａ）に示すように、第２把持部６６ｂには、第２把持溝７０ｂの両脇に凸部７０ｂＬ及び凸部７０ｂＲが設けられている。凸部７０ａＬ、凸部７０ａＲ、凸部７０ｂＬ及び凸部７０ｂＲの４つの凸部は、図１２（ａ）においてはそれぞれ先端に若干の丸みがある鈍角の角である。凸部７０ａＬ、凸部７０ａＲ、凸部７０ｂＬ及び凸部７０ｂＲの４つの凸部は、凸部７０ａＬ、凸部７０ａＲ、凸部７０ｂＬ及び凸部７０ｂＲの４つの凸部は、直角であってもよいし、鋭角であってもよい。尚、図１２（ａ）において、第１弾性緩衝紐７４ａ及び第２弾性緩衝紐７４ｂについては、第１可動片６２ａ及び第２可動片６２ｂのそれぞれの上面を延伸した面で切断した状態を示している。凸部７０ａＬ、凸部７０ａＲ、凸部７０ｂＬ及び凸部７０ｂＲのような４つの凸部は、第１可動片６２ａ及び第２可動片６２ｂのそれぞれの上面又は下面の一方のみに設けられていてもよいし、両方に設けられていてもよい。
【００８１】
図１１に示すように、第１可動片６２ａは、第１対向面から第１背面にかけて貫通した第１端部収納孔６８ａを有する。同様に、第２可動片６２ｂは、第２対向面から第２背面にかけて貫通した第２端部収納孔６８ｂを有する。
【００８２】
図１１に示すように、第１弾性緩衝紐７４ａは、紐状の一端を第１樹枝連結部７６ａに接続し、紐状の他端を第１端部収納孔６８ａの内部に位置させている。第１弾性緩衝紐７４ａの他端は第２弾性緩衝紐７４ｂの他端と接続されているため、第１端部収納孔６８ａの内部に直接は固定されない。同様に、図１１に示すように、第２弾性緩衝紐７４ｂは、紐状の一端を第２樹枝連結部７６ｂに接続し、紐状の他端を第２端部収納孔６８ｂの内部に位置させている。第１弾性緩衝紐７４ａと第２弾性緩衝紐７４ｂとは、同一素材から構成される一体とした部材の各部分であってもよい。第１弾性緩衝紐７４ａの他端は第２弾性緩衝紐７４ｂの他端と接続されているため、第２端部収納孔６８ｂの内部に直接は固定されない。
【００８３】
図１１に示すように、図１等に示す第１実施形態に係る果実固定具１と同様に、第１弾性緩衝紐７４ａの一端から他端の間の部位は、第１可動片６２ａの長手方向を巻付け軸として第１把持溝７０ａに巻き付けられている。第１弾性緩衝紐７４ａの巻付けは、図１１においては約２周しているが、１周であってもよいし、３周以上であってもよい。第１弾性緩衝紐７４ａの巻付けの方向は、図１１等に示すように第１端部収納孔６８ａから第１上面を経由して第１把持溝７０ａ側を通ってもよいし、第１端部収納孔６８ａから第１背面及び第１下面を経由して第１把持溝７０ａ側を通ってもよい。又、第１弾性緩衝紐７４ａの巻付けは、果梗５５に負担をかけずに固定する観点から、各周回部位が互いに接触しない方が好ましい。更に、第１弾性緩衝紐７４ａは、第１弾性緩衝紐７４ａ自体の弾性力を活かして果梗を固定するならば、図１等に示す第１実施形態に係る果実固定具１と同様に、第１把持溝７０ａの溝の表面から離間していることが好ましい。第１弾性緩衝紐７４ａは、第１可動片６２ａの第１背面、第１上面及び第１下面へは、それぞれ接触していてもよいし、接触しなくともよい。
【００８４】
図１１に示すように、環状の第１樹枝連結部７６ａは、第１弾性緩衝紐７４ａの一端に連続するように接続されているが、実際に第１弾性緩衝紐７４ａと同一素材で連続した部材であってもよいものとする。第１樹枝連結部７６ａは、第１弾性緩衝紐７４ａと「第１懸架具７２ａ」を構成する。図１１に示すように、第１可動片６２ａと第１懸架具７２ａとで「第１固定片」を構成する。
【００８５】
第２弾性緩衝紐７４ｂの一端から他端の間の部位は、第２可動片６２ｂの長手方向を巻付け軸として第２把持溝７０ｂに巻き付けられている。第２弾性緩衝紐７４ｂの巻付けは、図１１においては約２周しているが、１周であってもよいし、３周以上であってもよい。第２弾性緩衝紐７４ｂの巻付けの方向は、図１１等に示すように第２端部収納孔６８ｂから第２上面を経由して第２把持溝７０ｂ側を通ってもよいし、第２端部収納孔６８ｂから第２背面及び第２下面を経由して第２把持溝７０ｂ側を通ってもよい。又、第２弾性緩衝紐７４ｂの巻付けは、果梗５５に負担をかけずに固定する観点から、各周回部位が互いに接触しない方が好ましい。更に、第２弾性緩衝紐７４ｂは、第２弾性緩衝紐７４ｂ自体の弾性力を活かして果梗を固定するならば、第２把持溝７０ｂの溝の表面から離間していることが好ましい。第２弾性緩衝紐７４ｂは、第２可動片６２ｂの第２背面、第２上面及び第２下面へは、それぞれ接触していてもよいし、接触しなくともよい。
【００８６】
図１１に示すように、環状の第２樹枝連結部７６ｂは、第１樹枝連結部７６ａと同様に、第２弾性緩衝紐７４ｂの一端に連続するように接続されているが、実際に第２弾性緩衝紐７４ｂと同一素材で連続した部材であってもよいものとする。第２樹枝連結部７６ｂは、第２弾性緩衝紐７４ｂと「第２懸架具７２ｂ」を構成する。図１１に示すように、第２可動片６２ｂと第２懸架具７２ｂとで「第２固定片」を構成する。図１１において、第２懸架具７２ｂは第１懸架具７２ａの鏡像体であり、第２固定片は第１固定片の鏡像体として図示されているが、細部の構造は互いに異なっていても構わない。図１１に示すように、第１固定片、第２固定片及びバネ体３５とで、第３実施形態に係る果実固定具７が構成される。
【００８７】
第１可動片６２ａ及び第２可動片６２ｂ、第１弾性緩衝紐７４ａ及び第２弾性緩衝紐７４ｂ並びに第１樹枝連結部７６ａ及び第２樹枝連結部７６ｂの素材については、第１実施形態に係る果実固定具１の場合と同様である。
【００８８】
第１弾性緩衝紐７４ａ及び第２弾性緩衝紐７４ｂそれぞれについては、第１実施形態に係る果実固定具１の場合と同様に、二重らせん構造であることが好ましい。更に言えば、第１弾性緩衝紐７４ａ及び第２弾性緩衝紐７４ｂはそれぞれ、らせん同士が離間した二重らせん構造であることが好ましい。二重らせんのそれぞれのらせん構造については、ピッチや巻き数、Ｓ撚り・Ｚ撚りの別等を問わない。第１弾性緩衝紐７４ａ及び第２弾性緩衝紐７４ｂのそれぞれのらせん同士が離間した二重らせん構造の製造法は問わないが、例えば、中心となる巻付け軸に対して二重らせんの紐を同時に又は一本ずつ巻き付けていき、巻付け完了後に巻付け軸を除く手法で製造することができる。
【００８９】
第１樹枝連結部７６ａ及び第２樹枝連結部７６ｂについては、第１実施形態に係る果実固定具１の場合と同様に、形状可変の部材である軸及びその軸から略垂直に設けられたブラシ部から構成されていてもよい。軸やブラシ部の構造や素材については、第１実施形態に係る果実固定具１の場合と同様である。
【００９０】
（第３実施形態に係る果実固定具の使用方法）
第３実施形態に係る果実固定具７は、第１実施形態に係る果実固定具１の場合とほぼ同様の使用方法で用いることができる。第３実施形態に係る果実固定具７は、図１１のクリップが閉じた状態から、第１つまみ部６４ａ及び第２つまみ部６４ｂの第１及び第２背面を離間距離が短くなる方向に押圧すると、クリップが開いた状態となる。クリップが開いた状態においては、第１把持部６６ａ及び第２把持部６６ｂ側の互いの接触が解放され、第１把持溝７０ａ及び第２把持溝７０ｂの間で形成されていた貫通孔が消失する。第３実施形態に係る果実固定具７は、クリップが開いた状態で、果実の果梗を挟むことができる。
【００９１】
第３実施形態に係る果実固定具７は、第１実施形態に係る果実固定具１の場合と同様に、第１可動片６２ａ及び第２可動片６２ｂで果実の果梗を挟み、第１懸架具７２ａ及び第２懸架具７２ｂを樹枝に連結して使用することができる。
【００９２】
第１懸架具７２ａ及び第２懸架具７２ｂは、第１実施形態に係る果実固定具１の場合と同様に、第１樹枝連結部７６ａ及び第２樹枝連結部７６ｂを樹枝の上方で互いに絡ませるように接続して使用する。第１樹枝連結部７６ａ及び第２樹枝連結部７６ｂはそれぞれ環状のため、第１実施形態に係る果実固定具１の棒状の第１樹枝連結部２５ａ及び第２樹枝連結部２５ｂの場合よりも、指に引っ掛けやすく、樹枝の上方で互いに絡ませやすい。固定の順番については、第１実施形態に係る果実固定具１の場合と同様に、第１可動片６２ａ及び第２可動片６２ｂで果実の果梗を挟んでから、第１樹枝連結部７６ａ及び第２樹枝連結部７６ｂを樹枝に連結してもよいし、その逆であっても構わない。
【００９３】
図１２（ｂ）に示すように、第１把持部６６ａ及び第２把持部６６ｂで果梗５５を挟む場合、第１弾性緩衝紐７４ａ及び第２弾性緩衝紐７４ｂが果梗５５に直接接触するのではなく、凸部７０ａＬ、凸部７０ａＲ、凸部７０ｂＬ及び凸部７０ｂＲの４つの凸部が果梗５５に接触する場合もあり得る。凸部７０ａＬ、凸部７０ａＲ、凸部７０ｂＬ及び凸部７０ｂＲの４つの凸部は、各凸部の角が若干の丸みを帯びているため、植物体である果梗５５を傷つけることなく固定することができる。勿論、凸部７０ａＬ、凸部７０ａＲ、凸部７０ｂＬ及び凸部７０ｂＲの４つの凸部と第１弾性緩衝紐７４ａ及び第２弾性緩衝紐７４ｂが、同時に果梗５５に接触してもよい。その場合、４つの凸部の固定力に加え、第１弾性緩衝紐７４ａ及び第２弾性緩衝紐７４ｂの弾性的な押圧力も加わるため、より強固に果梗５５を固定することができる。果梗５５が細いうちは、４つの凸部又は第１弾性緩衝紐７４ａ及び第２弾性緩衝紐７４ｂの一方が果梗５５に直接接触し、果梗５５が太く成育してきた場合に、４つの凸部及び第１弾性緩衝紐７４ａ及び第２弾性緩衝紐７４ｂの両方が果梗５５に直接接触するように設計してもよい。
【００９４】
図１２（ｂ）に示すのは、第１弾性緩衝紐７４ａ及び第２弾性緩衝紐７４ｂのそれぞれの上面に凸部７０ａＬ、凸部７０ａＲ、凸部７０ｂＬ及び凸部７０ｂＲの４つの凸部が設けられている場合であるが、第１弾性緩衝紐７４ａ及び第２弾性緩衝紐７４ｂのそれぞれの下面にも４つの凸部が設けられていてもよいし、第１弾性緩衝紐７４ａ及び第２弾性緩衝紐７４ｂのそれぞれの下面のみに４つの凸部が設けられていてもよい。尚、図１２（ｂ）において、第１弾性緩衝紐７４ａ、第２弾性緩衝紐７４ｂ及び果梗５５については、第１可動片６２ａ及び第２可動片６２ｂのそれぞれの上面を延伸した面で切断した状態を示している。
【００９５】
第３実施形態に係る果実固定具７の樹枝及び果梗への取付け及び取外しは、第１実施形態に係る果実固定具１の場合と同様に、時期を問わないものである。
【００９６】
第３実施形態に係る果実固定具７によれば、台風等の強風時であっても果実の揺れを防止し、果実が樹枝から落下する危険性を大幅に低減することができる。第３実施形態に係る果実固定具７は、「果梗への取付け」及び「樹枝への取付け」の２段階の工程で、誰でも片手で容易に取り付けることができる。取り外しについても同様に、「果梗からの取外し」及び「樹枝からの取外し」の２段階の工程で、誰でも片手で容易に取り外すことができる。果実の収穫時には、「果梗からの取外し」のみで容易に果実を収穫できる。
【００９７】
第３実施形態に係る果実固定具７によれば、取付けの時期を問わないため、例えば強風が吹く直前であっても容易に多数の果実落下防止処置を行うことができる。
【００９８】
第３実施形態に係る果実固定具７によれば、強風時の果実落下防止のみならず、果実を任意の回転位置で固定する際にも好適に用いることができる。第３実施形態に係る果実固定具７を用いることで、樹枝と直接の接触がないリンゴであっても、任意の回転位置でリンゴの向きを固定することが容易となり、色むらの少ないリンゴを得ることが可能となる。第３実施形態に係る果実固定具７は取付けの向きを変えることが容易であるため、第３実施形態に係る果実固定具７自体が色むらの要因とはならずに使用することができる。
【００９９】
第３実施形態に係る果実固定具７によれば、果実袋等のような他の用具は不要であり、何度でも再利用可能である。例えば、リンゴに被せる果実袋は取り外す際には破くことが多く、再利用は不可能である。第３実施形態に係る果実固定具７は再利用が可能であるので、大変経済的である。
【０１００】
第３実施形態に係る果実固定具７によれば、果実や樹枝を傷つけることなく、果実を樹枝に固定することができる。第３実施形態に係る果実固定具７の第１弾性緩衝紐７４ａ及び第２弾性緩衝紐７４ｂがいわゆる「バネ」のような働きをする場合、その「バネ」により、適度な弾性力をもって果梗を挟むことが可能であるためである。又、第３実施形態に係る果実固定具７の第１弾性緩衝紐７４ａ及び第２弾性緩衝紐７４ｂには弾性があるので、果梗の成長を妨げることがない。又、第１把持溝７０ａ及び第２把持溝７０ｂを含む周辺に空隙部分が多くあるために、果梗の成育スペースが確保され、同様に果梗の成長を妨げない。更に、凸部７０ａＬ、凸部７０ａＲ、凸部７０ｂＬ及び凸部７０ｂＲの４つの凸部は、角が若干の丸みを帯びた形状であるため、果梗を傷つけにくい。したがって、果梗の成長が妨げられないため、果肉の成育も阻害されない。
【０１０１】
第３実施形態に係る果実固定具７によれば、第１弾性緩衝紐７４ａ及び第２弾性緩衝紐７４ｂがいわゆる「バネ」のような働きをする場合、果実の重量が増し、果梗の径が大きくなる程、果梗の固定力が増大し、効果的に果実落下防止を行える。果梗の径が大きくなる程、第１弾性緩衝紐７４ａ及び第２弾性緩衝紐７４ｂを外側に押し出す力が強まり、同時に反力（固定力）も強まる。収穫期間近の重量が増した果実の果梗に対する固定力が増すことで、効果的に果実の落下を防止できる。
【０１０２】
第３実施形態に係る果実固定具７によれば、第１弾性緩衝紐７４ａ及び第２弾性緩衝紐７４ｂがそれぞれ互いに離間した二重らせん構造である場合、この二重らせん構造が備える弾性力により、いわゆる「バネ」の機能が更に高まり、効果的に果梗の挟持（固定）が可能となる。又、第１弾性緩衝紐７４ａ及び第２弾性緩衝紐７４ｂと果梗との摩擦力により、固定力が増強される。
【０１０３】
第３実施形態に係る果実固定具７によれば、第１弾性緩衝紐７４ａ及び第２弾性緩衝紐７４ｂのそれぞれの他端を収納するための第１端部収納孔６８ａ及び第２端部収納孔６８ｂがあるために、第１弾性緩衝紐７４ａ及び第２弾性緩衝紐７４ｂのそれぞれの他端によるケガや果実への傷の問題も生じない。
【０１０４】
（その他の実施形態）
上記のように、本発明は上記の第１〜第３実施形態によって記載したが、この開示の一部をなす論述及び図面は本発明を限定するものであると理解すべきではない。この開示から当業者には様々な代替実施の形態、実施例及び運用技術が明らかとなろう。
【０１０５】
例えば、図７（ａ）に示すように、第１実施形態に係る果実固定具１に用いる「クリップ」を、クリップ部の内側の面を押圧するバネ体３５を用いたクリップ３に置き換えてもよい。図７（ａ）に示すタイプの「クリップ」は、図１１に示す第３実施形態に係る果実固定具７の「クリップ」と同様である。又、図７（ｂ）に示すように、第１実施形態に係る果実固定具１に用いる「クリップ」を、リングバネ３７を用いたクリップ５に置き換えてもよい。このように、第１〜第３実施形態に用いる「クリップ」の弾性体（バネ体）の形式、クリップ部の構造等は問わないものである。
【０１０６】
このように、本発明はここでは記載していない様々な実施の形態等を含むことは勿論である。したがって、本発明の技術的範囲は上記の説明から妥当と解釈しうる、特許請求の範囲に係る発明特定事項によってのみ定められるものである。
【符号の説明】
【０１０７】
１、２、７…果実固定具
３、５…クリップ
１１ａ、１１ｂ、１２ａ、１２ｂ、６２ａ、６２ｂ…可動片
１３ａ、１３ｂ、１４ａ、１４ｂ、６４ａ、６４ｂ…つまみ部
１５ａ、１５ｂ、１６ａ、１６ｂ、６６ａ、６６ｂ…把持部
１７ａ、１７ｂ、１８ａ、１８ｂ、６８ａ、６８ｂ…端部収納孔
１９ａ、１９ｂ、２０ａ、２０ｂ、７０ａ、７０ｂ…把持溝
２１ａ、２１ｂ、２２ａ、２２ｂ、７２ａ、７２ｂ…懸架具
２３ａ、２３ｂ、２４ａ、２４ｂ、７４ａ、７４ｂ…弾性緩衝紐
２５ａ、２５ｂ、２６ａ、２６ｂ、７６ａ、７６ｂ…樹枝連結部
２３ｂ１、２３ｂ２…らせん紐
２５ａｓ…軸
２５ａｂ…ブラシ部
３１、３５…バネ体
３３ａ、３３ｂ…バネ収納溝
３７…リングバネ
５０…樹枝
５１…果実
５３…果肉
５５…果梗
５７…梗窪（こうあ）
７０ａＬ、７０ａＲ、７０ｂＬ、７０ｂＲ…凸部
【図１】
2022002468.tif 000003
【図２】
2022002468.tif 000004
【図３】
2022002468.tif 000005
【図４】
2022002468.tif 000006
【図５】
2022002468.tif 000007
【図６】
2022002468.tif 000008
【図７】
2022002468.tif 000009
【図８】
2022002468.tif 000010
【図９】
2022002468.tif 000011
【図１０】
2022002468.tif 000012
【図１１】
2022002468.tif 000013
【図１２】
2022002468.tif 000014
【図１３】
2022002468.tif 000015